(57)【要約】【課題】放送サービスの遂行中に独自広告を出力する方法及びその方法を行う利用者端末を提供する。また、通常放送のＣＭ時間中に利用者に対するターゲット広告が行われるようにして広告効果の極大化を図る。【解決手段】本発明による利用者端末は、放送システムから受信した放送データを放送番組の出力時間中に出力した後、予め設定されている広告データの出力期間中に広告サーバから予め受信し保存した広告データ、またはリアルタイムで受信した広告データを出力し、広告データの出力期間終了後に、リアルタイムで受信した放送データを再び出力し、本発明により、放送遂行装置と広告出力装置とを分離する。【選択図】図１
2008530944.tif 000002
【特許請求の範囲】
【請求項１】
移動通信サービスシステムから利用者端末に放送データを提供する方法において、
一つ以上の広告データを保存するステップと、
通信網を介して任意の放送システムから、放送データと、前記放送データに対応する放送番組の放送時間情報及び広告データ出力期間情報を含む放送設定情報とを受信するステップと、
前記放送データと前記放送設定情報とを通信網を介して利用者端末に送信するステップと、
前記利用者端末から広告データ送信要求を受信するステップと、
一つ以上の広告データを抽出するステップと、
前記抽出された広告データを通信網を介して前記利用者端末に送信するステップと、
を含み、
前記利用者端末が、前記広告データ出力期間情報に対応する時点で前記広告データ送信要求を送り、前記広告データ出力期間情報に対応する期間中にだけ前記広告データを出力することを特徴とする放送データ提供方法。
【請求項２】
前記広告データを抽出するステップが、
前記利用者端末の位置情報を抽出するステップと、
前記位置情報に対応する広告データを抽出するステップと、
を含む請求項１に記載の放送データ提供方法。
【請求項３】
移動通信サービスシステムから利用者端末に放送データを提供する方法において、
一つ以上の広告データを保存するステップと、
通信網を介して任意の放送システムから、放送データと、前記放送データに対応する放送番組の放送時間情報及び広告データ出力期間情報を含む放送設定情報とを受信するステップと、
前記放送データを通信網を介して利用者端末に送信するステップと、
現在時点が前記広告データ出力期間情報に該当する時点であるか否かを判断するステップと、
該当する時点の場合に、一つ以上の広告データを抽出するステップと、
前記抽出された広告データを通信網を介して前記利用者端末に送信するステップと、
を含む放送データ提供方法。
【請求項４】
前記広告データを抽出するステップが、
前記利用者端末の位置情報を抽出するステップと、
前記位置情報に対応する広告データを抽出するステップと、
を含む請求項３に記載の放送データ提供方法。
【請求項５】
利用者端末において、
通信網を介して広告サーバから広告データを受信する無線送受信部と、
任意の放送システムから通信網を介して放送データを受信し、予め指定された形式の第１音声データ及び第１映像データに変換する放送信号受信処理部と、
端末識別情報と、前記放送システムまたは移動通信サービスシステムから受信される前記放送データに対応する放送番組の放送時間情報及び広告データ出力期間情報を含む放送設定情報とを保存する保存部と、
前記第１音声データを出力するスピーカ部と、
前記第１映像データを出力する表示部と、
現在時点が前記広告データ出力期間情報に該当する場合、前記広告データを予め指定された形式の第２音声データ及び第２映像データに変換して前記スピーカ部及び前記表示部を通して表示する広告出力部と、
を含む利用者端末。
【請求項６】
一つ以上のキーボタンから構成され、チャネル選局命令、購入要求の入力を受けるキー入力部と、
前記購入要求が入力されると、前記表示部から表示中である広告データに対応する広告ＩＤと前記端末識別情報とを用いて購入要求情報を生成する購入要求情報生成部と、
前記生成された購入要求情報を前記広告サーバまたは購入サーバに送信する送信部と、
をさらに含む請求項５に記載の利用者端末。
【請求項７】
前記保存部が、前記無線送受信部を通して受信された一つ以上の広告データをさらに保存し、前記広告出力部が、前記保存部に保存されている一つ以上の広告データを前記広告データ出力期間情報に対応させて出力することを特徴とする請求項５に記載の利用者端末。
【請求項８】
前記利用者端末がモバイル通信端末、携帯情報端末、ポータブルマルチメディアプレイヤーの中の少なくとも一つであることを特徴とする請求項５に記載の利用者端末。
【請求項９】
放送サービス遂行中に広告を出力する方法を行うために利用者端末により実行可能な複数の命令からなる、前記利用者端末により読取可能なプログラムが有形的に具現されている記録媒体であって、
通信網を介して広告サーバから一つ以上の広告データを受信し保存するステップと、
任意の放送システムまたは移動通信サービスシステムから放送データと、前記放送データに対応する放送番組の放送時間情報及び広告データ出力期間情報を含む放送設定情報とを受信するステップと、
前記受信された放送データを出力するステップと、
現在時点が前記広告データ出力期間情報に該当するか否かを判断するステップと、
現在時点が前記広告データ出力期間情報に該当する場合前記放送データの出力を中止し、前記保存されている任意の広告データを出力するステップと、
現在時点が前記放送時間情報に該当するか否かを判断するステップと、
現在時点が前記放送時間情報に該当する場合に前記放送システムまたは前記移動通信サービスシステムから受信される放送データを出力するステップと、
を行うことを特徴とするプログラムを記録した記録媒体。
【請求項１０】
前記広告データがそれぞれ適切な出力位置を示す位置情報に対応するように保存される場合、前記保存された任意の広告データを出力するステップが、
前記移動通信サービスシステムに前記利用者端末の位置情報提供要求を送るステップと、
前記移動通信サービスシステムから前記利用者端末の位置情報を受信するステップと、
前記受信された位置情報に対応する広告データを抽出するステップと、
前記抽出された広告データを出力するステップと、
を含む請求項９に記載のプログラムを記録した記録媒体。
【請求項１１】
利用者から購入要求命令の入力を受けるステップと、
前記購入要求命令が入力された時点で出力されていた広告データの広告ＩＤ及び予め保存されている端末識別情報を用いて購入要求情報を生成するステップと、
前記生成された購入要求情報を前記移動通信サービスシステムまたは前記広告サーバに送るステップと、
をさらに行うことを特徴とする請求項９に記載のプログラムを記録した記録媒体。
【請求項１２】
放送サービス遂行中に広告を出力する方法を行うために利用者端末により実行可能な複数の命令からなる、前記利用者端末により読取可能なプログラムが有形的に具現されている記録媒体において、
任意の放送システムまたは移動通信サービスシステムから放送データと、前記放送データに対応する放送番組の放送時間情報及び広告データ出力期間情報を含む放送設定情報とを受信するステップと、
前記受信された放送データを出力するステップと、
現在時点が前記広告データ出力期間情報に該当するか否かを判断するステップと、
現在時点が前記広告データ出力期間情報に該当する場合、広告サーバに広告データ送信要求を送るステップと、
前記広告サーバから広告データが受信されると前記放送データの出力を中止し、前記受信された広告データを出力するステップと、
現在時点が前記放送時間情報に該当するか否かを判断するステップと、
現在時点が前記放送時間情報に該当する場合前記広告データの出力を中止し、前記放送システムまたは前記移動通信サービスシステムから受信される放送データを出力するステップと、
を行うことを特徴とするプログラムを記録した記録媒体。
【請求項１３】
現在時点が前記放送時間情報に該当する場合、前記広告サーバに広告データ送信中止要求を送るステップをさらに行うことを特徴とする、請求項１２に記載のプログラムを記録した記録媒体。
【請求項１４】
前記広告サーバが前記移動通信サービスシステムに前記利用者端末の位置情報を要求し、受信された位置情報に対応する広告データを抽出して前記利用者端末に送信することを特徴とする請求項１２に記載のプログラムを記録した記録媒体。
【請求項１５】
前記利用者端末から購入要求命令の入力を受けるステップと、
前記購入要求命令が入力された時点で出力されていた広告データの広告ＩＤ及び予め保存されている端末識別情報を用いて購入要求情報を生成するステップと、
前記生成された購入要求情報を前記移動通信サービスシステムまたは前記広告サーバに送るステップと、
をさらに行うことを特徴とする請求項１２に記載のプログラムを記録した記録媒体。
【発明の詳細な説明】
【技術分野】
【０００１】
本発明は、放送サービスの遂行中に独自広告を出力する方法及びその方法を行う利用者端末に関し、特に利用者端末を用いた放送サービスの提供中において通常番組間のＣＭ時間中に利用者に適切な広告を選択的に表示することにより広告効果の極大化を図ることができる、放送サービスの遂行中に独自広告を出力する方法及びその方法を行う利用者端末に関する。
【背景技術】
【０００２】
最近、スカイウェーブ・ブロードキャスティング、衛星放送、地上波デジタルマルチメディア放送（ＤＭＢ）、衛星ＤＭＢなどの放送サービスが、モバイル通信端末、携帯マルチメディアプレーヤなどの多様な利用者端末と結合して既に遂行されているか、また遂行のための技術が開発されている。
【０００３】
すなわち、放送システムを通して送出された放送データを、移動中の利用者の利用者端末が受信し出力する。これにより、利用者は移動中でも放送サービスの提供を受けることができる。
【発明の開示】
【発明が解決しようとする課題】
【０００４】
しかし、放送受信モジュールが搭載された利用者端末を用いて上空波放送サービスの提供を受ける場合、利用者端末は単に受信されるデータを予め指定された方式で加工して出力する。当該データが放送データであるか、それとも広告データであるかを確認することはない。このように、従来の利用者端末を用いた上空波放送サービスは、放送局が提供する多くのデータがすべて利用者端末を通して出力されるので、移動通信事業者や別途の広告事業者が独自広告による事業を推進できないという限界があった。
【０００５】
また、そのほかに、地上波ＤＭＢ、衛星ＤＭＢ及びその他の無線網を介する放送サービスの提供も可能であるが、この場合にも、サービスを提供する事業者はデータ、すなわち、放送及び広告データの伝達機能を提供するに過ぎず、独自広告による事業を推進できないという限界があった。
【０００６】
本発明は、前述した問題点を解決するために案出されたもので、本発明の目的は、放送遂行装置と広告出力装置とを分離し、通常番組のＣＭ時間中に利用者に対するターゲット広告が行われるようにして広告効果の極大化を図ることができる、放送サービスの遂行中に独自広告を出力する方法及びその方法を行う利用者端末を提供することにある。
【０００７】
本発明の他の目的は、利用者端末に予め保存されている広告データのうち、現在状態、例えば、時刻、位置などに最も適した広告を出力することにより広告効果の極大化を図ることができる、放送サービスの遂行中に独自広告を出力する方法及びその方法を行う利用者端末を提供することにある。
【０００８】
本発明のさらに他の目的は、任意の広告データが出力される時点において既に設定されている購入要求が入力されると、無線通信網を介して広告データに対応する物品の購入要求を送信することにより物品購入手続きの簡素化及び物品販売の活性化を図ることができる、放送サービスの遂行中に独自広告を出力する方法及びその方法を行う利用者端末を提供することにある。
【０００９】
本発明のさらに他の目的は、利用者端末の位置に対応する広告が出力されるようにして広告の効用性を高めることができる、放送サービスの遂行中に独自広告を出力する方法及びその方法を行う利用者端末を提供することにある。
【００１０】
本発明のまたさらに他の目的は、放送主体と広告主体との分離による新たな収益モデルを創出できる、放送サービスの遂行中に独自広告を出力する方法及びその方法を行う利用者端末を提供することにある。
【００１１】
本発明のさらに他の目的等は、以下に記述する好ましい実施形態を通してより明確にされる。
【課題を解決するための手段】
【００１２】
上記の目的を達成するために、本発明の一実施形態によれば、放送データ、及び当該放送データとは別の提供主体による広告データを利用者端末に提供する放送データ提供方法が提供され、当該方法の遂行を可能とさせるシステム、装置及び記録媒体がさらに提供される。
【００１３】
本発明の好ましい一実施形態によれば、移動通信サービスシステムから利用者端末に放送データを提供する方法において、一つ以上の広告データを保存するステップと、通信網を介して任意の放送システムから、放送データと、上記放送データに対応する放送番組の放送時間情報及び広告データ出力期間情報を含む放送設定情報とを受信するステップと、上記放送データと上記放送設定情報とを通信網を介して利用者端末に送信するステップと、上記利用者端末から広告データの送信要求を受信するステップと、一つ以上の広告データを抽出するステップと、上記抽出された広告データを通信網を介して上記利用者端末に送信するステップとを含む放送データ提供方法が提供され、当該放送データ提供方法を行えるシステム、装置及び記録媒体が提供される。ここで、上記利用者端末は上記広告データ出力期間情報に対応する時点で上記広告データの送信要求を送信し、上記広告データ出力期間情報に対応する期間中にだけ上記広告データを出力することを特徴とする。
【００１４】
上記放送データ提供方法において、上記広告データを抽出するステップは、上記利用者端末の位置情報を抽出するステップと、上記位置情報に対応する広告データを抽出するステップとを含むことができる。
【００１５】
本発明の好ましい他の実施形態によれば、移動通信サービスシステムから利用者端末に放送データを提供する方法において、一つ以上の広告データを保存するステップと、通信網を介して任意の放送システムから放送データと、上記放送データに対応する放送番組の放送時間情報及び広告データ出力期間情報を含む放送設定情報とを受信するステップと、上記放送データを通信網を介して利用者端末に送信するステップと、現在時点が上記広告データ出力期間情報に該当する時点であるか否かを判断するステップと、該当する時点である場合、一つ以上の広告データを抽出するステップと、上記抽出された広告データを通信網を介して上記利用者端末に送信するステップとを含む放送データ提供方法が提供され、当該放送データ提供方法を行うシステム、装置及び記録媒体が提供される。
【００１６】
上記広告データを抽出するステップは、上記利用者端末の位置情報を抽出するステップと、上記位置情報に対応する広告データを抽出するステップとを含むことができる。
【００１７】
本発明の他の実施形態によれば、放送データ、及び当該放送データとは別の提供主体による広告データを受信して出力する利用者端末が提供される。
【００１８】
本発明の好ましい一実施形態によれば、通信網を介して広告サーバから広告データを受信する無線送受信部と、任意の放送システムから通信網を介して放送データを受信し、予め指定された形式の第１音声データ及び第１映像データに変換する放送信号受信処理部と、端末識別情報と、上記放送システムまたは移動通信サービスシステムから受信される上記放送データに対応する放送番組の放送時間情報及び広告データ出力期間情報を含む放送設定情報とを保存する保存部と、上記第１音声データを出力するスピーカ部と、上記第１映像データを出力する表示部と、現在時点が上記広告データ出力期間情報に該当する場合、上記広告データを予め指定された形式の第２音声データ及び第２映像データに変換して上記スピーカ部及び上記表示部を通して表示する広告出力部とを含む利用者端末が提供される。
【００１９】
上記利用者端末は、一つ以上のキーボタンで構成され、チャネル選局命令、購入要求の入力を受けるキー入力部と、上記購入要求が入力されると、上記表示部から表示中である広告データに対応する広告ＩＤと上記端末識別情報とを用いて購入要求情報を生成する購入要求情報生成部と、上記生成された購入要求情報を上記広告サーバまたは購入サーバに送信する送信部をさらに含むことができる。
【００２０】
上記利用者端末の上記保存部は上記受信部を通して受信された一つ以上の広告データをさらに保存し、上記広告出力部は上記保存部に保存されている一つ以上の広告データを上記広告データ出力期間情報に対応させて出力することを特徴とする。
【００２１】
上記利用者端末はモバイル通信端末、携帯情報端末、ポータブルマルチメディアプレイヤーのうち少なくともいずれか一つである場合もある。
【００２２】
本発明のまた他の実施形態によれば、放送システム及び広告サーバからそれぞれ受信される放送データ及び広告データを受信して予め設定されている出力基準に基づいて出力するために利用者端末に設置されるプログラムが提供される。
【００２３】
本発明の好ましい一実施形態によれば、放送サービス遂行中に広告を出力する方法を行うために利用者端末により実行可能な複数の命令からなる、前記利用者端末により読取可能なプログラムが有形的に具現されている記録媒体において、通信網を介して広告サーバから一つ以上の広告データを受信して保存するステップと、任意の放送システムまたは移動通信サービスシステムから放送データと、上記放送データに対応する放送番組の放送時間情報及び広告データ出力期間情報を含む放送設定情報とを受信するステップと、上記受信された放送データを出力するステップと、現在時点が上記広告データ出力期間情報に該当するか否かを判断するステップと、現在時点が上記広告データ出力期間情報に該当する場合に上記放送データの出力を中止し、上記保存された任意の広告データを出力するステップと、現在時点が上記放送時間情報に該当するか否かを判断するステップと、現在時点が上記放送時間情報に該当する場合に上記放送システムまたは上記移動通信サービスシステムから受信される放送データを出力するステップと、を行うことを特徴とするプログラムを記録した記録媒体が提供される。
【００２４】
上記プログラムの上記広告データをそれぞれ、適切な出力位置を示す位置情報に対応させて保存する場合、上記保存されている任意の広告データを出力するステップは、上記移動通信サービスシステムに上記利用者端末の位置情報提供要求を送るステップと、上記移動通信サービスシステムから上記利用者端末の位置情報を受信するステップと、上記受信された位置情報に対応する広告データを抽出するステップと、上記抽出された広告データを出力するステップと、を含むことができる。
【００２５】
上記プログラムは上記利用者から購入要求命令の入力を受けるステップと、上記購入要求命令が入力された時点で出力されていた広告データの広告ＩＤ及び予め保存された端末識別情報を用いて購入要求情報を生成するステップと、上記生成された購入要求情報を上記移動通信サービスシステムまたは上記広告サーバに送信するステップをさらに行うことができる。
【００２６】
本発明の好ましい他の実施形態によれば、放送サービス遂行中に広告を出力する方法を行うために利用者端末により実行可能な複数の命令からなる、前記利用者端末により読取可能なプログラムが有形的に具現されている記録媒体において、任意の放送システムまたは移動通信サービスシステムから放送データと、上記放送データに対応する放送番組の放送時間情報及び広告データ出力期間情報を含む放送設定情報とを受信するステップと、現在時点が上記広告データ出力期間情報に該当するか否かを判断するステップと、現在時点が上記広告データ出力期間情報に該当する場合、広告サーバに広告データ送信要求を送るステップと、上記広告サーバから広告データが受信されると上記放送データの出力を中止し、上記受信された広告データを出力するステップと、現在時点が上記放送時間情報に該当するか否かを判断するステップと、現在時点が上記放送時間情報に該当する場合に上記広告データの出力を中止し、上記放送システムまたは上記移動通信サービスシステムから受信される放送データを出力するステップと、を行うことを特徴とするプログラムを記録した記録媒体が提供される。
【００２７】
上記プログラムは、現在時点が上記放送時間情報に該当する場合、上記広告サーバに広告データ送信中止要求を送るステップをさらに行うことができる。
【００２８】
上記広告サーバは、上記移動通信サービスシステムに上記利用者端末の位置情報を要求して受信された位置情報に対応する広告データを抽出し、上記利用者端末に送信することを特徴とする。
【００２９】
上記プログラムは、上記利用者端末から購入要求命令の入力を受けるステップと、上記購入要求命令が入力された時点で出力された広告データの広告ＩＤ及び予め保存されている端末識別情報を用いて購入要求情報を生成するステップと、上記生成された購入要求情報を上記移動通信サービスシステムまたは上記広告サーバに送るステップとをさらに行うことができる。
【発明の効果】
【００３０】
本発明によれば、通常放送のＣＭ時間中に利用者に対するターゲット広告を行うことにより広告効果の極大化を図ることができる。
【００３１】
また、本発明によれば、利用者端末に予め保存されている広告データのうち、現在状態、例えば、時刻、位置などに最も適した広告を出力することにより広告効果の極大化を図ることができる。
【００３２】
また、本発明によれば、任意の広告データが出力される時点において既に設定されている購入要求が入力されると、無線通信網を介して広告データに対応する物品の購入要求を送信することにより物品購入手続きの簡素化及び物品販売の活性化を図ることができる。
【００３３】
また、本発明によれば、利用者端末の位置に対応する広告が出力されるようにして広告の効用性を高めることができる。
【００３４】
また、本発明によれば、放送主体と広告主体との分離による新たな収益モデルを創出できる。
【発明を実施するための最良の形態】
【００３５】
以下、本発明の好ましい実施形態について添付図面を参照して詳しく説明する。本発明を説明することにおいて、本発明の理解を容易にするために、図面番号にかかわらず同一の手段に対しては同一の参照番号を付与する。
【００３６】
図１は、本発明の好ましい一実施形態による放送サービスの遂行中に独自広告の出力方法を行うための全体システムの構成を概略的に示す図である。
【００３７】
図１を参照すると、本発明によるシステムは、一つ以上の放送システム１１０ａ及び１１０ｂ、利用者端末１２０、コンテンツ提供者１７０、及び広告サーバ１７５を備える。
【００３８】
一般的に放送サービスの送信方式には、地上のアンテナから発信される電波に乗せて放送データを送信する上空波放送、有線ケーブルを通して放送データを送信するケーブル放送、人工衛星から発信される電波に乗せて放送データを送信する衛星放送などがある。
【００３９】
図１には、人工衛星を介して放送データを送信する衛星放送システムである第１放送システム１１０ａと、移動通信網を介して放送データを送信する移動通信サービスシステムである第２放送システム１１０ｂだけが例示されている。しかし、その他にも、通信網を介して利用者端末１２０に放送データを送信できる放送システムであれば、特に制限されない。以下では、機能に応じて、第２放送システムまたは移動通信サービスシステムを１１０ｂとして説明する。
【００４０】
第１放送システム１１０ａは、放送データを作成するために撮影を行う撮影部１３０、撮影された放送データを編集する編集部１３３、放送データの作成、編集及び編集された放送データを、各種媒体を介して送出する放送送出に関する全般的な動作を制御する放送管制システム１３６、及び放送データを無線信号で放送衛星（図示せず）に送出する衛星送出部１３９を含めて構成することができる。
【００４１】
第１放送システム１１０ａは、アンテナを介し上空波に放送データを乗せて送出する地上送出部、放送データを同軸ケーブルや光ケーブルなどのケーブルを介してケーブルＴＶなどに送出するケーブル送出部、送信される放送データを放送メディアデータに変換してインターネットを介して送出するネットワーク送出部などをさらに含むことができる。また、放送管制システム１３６は、送出する放送データに対応する放送設定情報（例えば、放送番組の放映時間、放送番組間のＣＭ時間）を生成して衛星送出部１３９などの伝送媒体を介して利用者端末１２０に送信する。
【００４２】
この際、放送設定情報は放送データとは別のデータから構成するか、放送データの一部（例えば、ヘッダ内に挿入された情報）として構成するか、または放送データと統合された形態で構成して送信することができる。その他にも放送データだけでなく、利用者端末１２０が放送設定情報を受信できる送信方法であれば、特に制限されない。放送設定情報の送信方法は本発明の要旨とは直接の関係がないため、これに対する詳細な説明は省略する。
【００４３】
第２放送システム１１０ｂは、基地局１５０、交換器１５３、ホームロケーションレジスタ（ＨＬＲ）１５６、ビジターロケーションレジスタ（ＶＬＲ）１５９、及び放送サービスシステム１６２を含むことができる。図１には示されていないが、第２放送システム１１０ｂは放送サービス機能を備えた移動通信サービスシステムとして、基地局制御装置（ＢＳＣ）、網間接続機能（ＩＷＦ）などをさらに含むことができる。
【００４４】
基地局１５０は、セル単位で配置され、利用者端末１２０から発生する通話要求を交換器１５３に送信したり、自分が管轄するセル領域に存在する利用者端末１２０の位置を把握する位置登録を行う。位置登録は、利用者端末１２０の位置状態、識別子、スロット周期などを、基地局１５０を介して交換器１５３に知らせる処理手続きであり、基地局１５０が任意の利用者端末１２０に通話を着信させようとする時に、利用者端末１２０を効果的に呼び出すための手続きである。このような利用者端末１２０の位置登録は、利用者端末１２０の電源オン／オフ時、利用者端末１２０が基地局１５０から別の基地局までの間を移動する時、利用者端末１２０のパラメータが変更された時などに実施される。
【００４５】
交換器１５３は、複数の基地局１５０が効率的に運用できるようにする管理機能と公衆電話網の交換器との連動機能を有する。基地局１５０を介して利用者端末１２０の位置登録が行われると、交換器１５３は、交換器１５３内のＶＬＲ１５９に利用者端末１２０の加入者情報を臨時保存した後、ＨＬＲ１５６に利用者端末１２０の位置登録を要求する。
【００４６】
ＨＬＲ１５６は、利用者端末１２０の加入者情報に関するサービスプロファイルを保存するデータベースであって、利用者端末１２０の加入者電話番号、モバイル識別番号（ＭＩＮ）、端末固有番号（ＥＳＮ）を保存する。ＨＬＲ１５６は、利用者端末１２０がある場所の基地局１５０と交換器１５３の情報を含めた加入者情報を保存する機能を果たす。
【００４７】
放送サービスシステム１６２は、移動通信網を介して利用者端末１２０に放送データを提供するための装置であり、コンテンツ提供者１７０は放送サービスのためのコンテンツを提供する主体である。また、放送サービスシステム１６２は、送出する放送データに対応する放送設定情報（例えば、放送番組の放映時間、放送番組間のＣＭ時間）を生成し、基地局１５０などを介して利用者端末１２０に送信する。この際、放送設定情報は放送データとは別個のデータで構成するか、放送データの一部（例えば、ヘッダ内に挿入された情報）として構成するか、または放送データと統合された形態で構成して送信することができる。その他にも放送データだけではなく、利用者端末１２０が放送設定情報を受信できる送信方法であれば、特に制限されない。
【００４８】
図１では、第２放送システム１１０ｂ内に独立された放送サービスシステム１６２が存在する場合を仮定して説明したが、放送サービスシステム１６２を省略することもできる。すなわち、第２放送システム１１０ｂの交換器１５３と第１放送システム１１０ａの放送管制システム１３６とが有線または無線で接続され、第２放送システム１１０ｂが第１放送システム１１０ａから提供される放送データ、放送設定情報の少なくとも一方を移動通信網を介して利用者端末１２０に送信することもできる。
【００４９】
第１放送システム１１０ａ、第２放送システム１１０ｂの少なくとも一方から放送データを利用者端末１２０に送信するための放送データの構造及び形式などは、本発明の要旨とは直接関係しないため、これに関する説明は省略する。
【００５０】
利用者端末１２０は、第１放送システム１１０ａ、第２放送システム１１０ｂの少なくとも一方から受信した放送データを出力し、さらに、放送番組中または終了後のＣＭ時間中に、予め保存されている広告データ、または広告サーバ１７５からリアルタイムで受信した広告データを出力する端末装置である。利用者端末１２０は前述した機能を果たすように具現された装置であれば、特に制限されず同様に適用可能であり、例えば、モバイル通信端末１２０ａ、携帯情報端末または携帯マルチメディアプレーヤ１２０ｂなどである場合もある。利用者端末１２０の詳細構成に関しては、後述する図２を参照して詳しく説明する。
【００５１】
広告サーバ１７５は、放送番組中、または終了後のＣＭ時間中に利用者端末１２０が出力する広告データを、移動通信網を介して提供する装置である。広告サーバ１７５は、移動通信サービスシステム１１０ｂ内の一部構成要素であってもよい。広告サーバ１７５の機能及び用途は、後の関連図面を参照した説明を通じて容易に理解できる。
【００５２】
図２は、本発明の好ましい一実施形態による利用者端末１２０の構成を示すブロック構成図である。
【００５３】
図２を参照すると、利用者端末１２０は無線送受信部２１０、音声処理部２１５、送受話部２２０、保存部２２５、キー入力部２３０、表示部２３５、電源供給部２４０、放送信号受信処理部２４５、放送設定情報管理部２５０、広告出力部２５５、制御部２６０を備える。図２に示した利用者端末１２０はモバイル通信端末を想定したものであり、携帯マルチメディアプレーヤなどの形態で具現される場合には一部の構成要素（例えば、音声処理部２１５、送受話部２２０など）を省略することができる。図２に示した利用者端末１２０の構成要素のうち、一部の構成要素（例えば、放送設定情報管理部２５０、広告出力部２５５など）は、同様の機能を果たすように設計されたソフトウェアプログラムの形態で具現される場合もある。
【００５４】
無線送受信部２１０は、アンテナ部（図示せず）と結合され、移動通信サービスシステム１１０ｂから無線信号（例えば、音声データなど）を受信して送受話部２２０または保存部２２５に伝達し、また、送受話部２２０を介して入力された音声信号などを、アンテナ部を介して移動通信サービスシステム１１０ｂに送信する。無線送受信部２１０は、移動通信サービスシステム１１０ｂから放送データに対応する放送設定情報を受信することができる。
【００５５】
音声処理部２１５は、無線送受信部２１０を介して受信された音声信号を処理して送受話部２２０を介して出力されるようにし、また、送受話部２２０を介して入力された音声信号を処理して無線送受信部２１０に伝達する。
【００５６】
送受話部２２０は、スピーカ及びマイクを含めて構成することができる。スピーカは、アンテナ部を介して移動通信サービスシステム１１０ｂから受信された他の利用者の音声や、放送信号受信処理部２４５により処理された放送データの音声データなどを出力する手段であり、マイクは利用者端末１２０の利用者の音声を入力する手段である。
【００５７】
保存部２２５は、利用者端末１２０の運用プログラム、端末識別情報（例えば、端末固有番号（ＥＳＮ）、電話番号など）、広告サーバ１７５から受信される広告データ、第１放送システム１１０ａ、第２放送システム１１０ｂの少なくとも一方から受信される放送設定情報を保存する。広告データは、広告ＩＤ（すなわち、広告データの識別情報）、位置ＩＤ（すなわち、広告データを出力するべき位置の情報）などに対応させて保存することができる。また、保存部２２５は広告データが出力される間に表示部２３５に表示される案内メッセージ（例えば、「現在の広告の品の購入を希望する場合、希望数量と”Ｍａｇｉｃ  Ｎ”ボタンを順次押してください」）及びキーボタン設定情報（例えば、広告データが出力されている間は”Ｍａｇｉｃ  Ｎ”ボタンを購入要求ボタンとして機能させる）をさらに保存することができる。また、保存部２２５は、利用者が購入要求ボタンを操作すると、購入希望数量、広告ＩＤ、端末識別情報を用いて購入要求情報を生成し、無線送受信部２１０を介して購入サーバ（図示せず）に送信するプログラムをさらに保存することができる。購入サーバは、移動通信サービスシステム１１０ｂに含まれるか、移動通信サービスシステムによる無線インターネット接続機能を通して接続されるように構成することができる。購入サーバが利用者端末１２０から受信された購入要求を処理する過程は、当業者にとって自明なことであるため、これに関する説明は省略する。保存部２２５は複数の保存部２２５または複数の保存領域から構成することができ、保存されるデータは類型や種類に応じて異なる保存部２２５または保存領域に保存することができる。
【００５８】
キー入力部２３０は、複数のキーボタンを備え、利用者から放送チャネル選択情報、購入要求、広告データのダウンロード命令などを入力する手段である。利用者端末１２０に備えられたキー入力部２３０の機能は、従来の一般的な機能と下記の説明とを通して十分理解できるので、これに関する詳細な説明は省略する。
【００５９】
表示部２３５は、キー入力部２３０からの入力による動作状態、選局された放送データ、広告データなどを表示する機能を果たす。表示部２３５は、例えば、液晶画面である場合もある。
【００６０】
電源供給部２４０は、利用者端末１２０の動作に必要な駆動電源を供給する機能を果たす。電源供給部２４０は、例えば、バッテリと接続するための接続端子、太陽電池などであってもよい。
【００６１】
放送信号受信処理部２４５は、第１放送システム１１０ａ、第２放送システム１１０ｂの少なくとも一方から受信された放送データを、スピーカ及び表示部２３５を介して出力可能な形態に変換する機能を果たす。具体的には、放送信号受信処理部２４５は、アンテナ部を通して受信したＲＦ信号を中間周波信号に変換し、アナログ中間周波信号をデジタル信号に変換し、変換したデジタル信号から音声、データ及び映像を復元する機能を果たすことができる。放送信号受信処理部２４５の詳細構成は、放送データ受信経路及び放送データのフォーマットなどの相違点により多様に具現することができる。放送設定情報が放送データと共に受信される場合、放送信号受信処理部２４５は受信された放送設定情報を保存部２２５に保存する。
【００６２】
放送設定情報管理部２５０は、第１放送システム１１０ａ、第２放送システム１１０ｂの少なくとも一方から受信して保存部２２５に保存した放送設定情報を用いて、現在時点が広告データの出力開始時点であるか否かを判断し、広告データの出力開始時点である場合、広告出力部２５５に広告データの出力開始を指示する。また、放送設定情報管理部２５０は、放送設定情報を用いて現在時点が広告データの出力終了時点であるか否かを判断し、広告データの出力終了時点である場合、広告出力部２５５に広告データの出力終了を指示する。
【００６３】
放送設定情報管理部２５０が広告データの出力時点であるか否かを判断する方法は、例えば、現在時刻が、放送設定情報においてＣＭ時間として指定されている時点（広告データの出力期間、すなわち、放送番組中または終了後に広告が出力されるよう予め設定されている、広告データの出力開始時点から広告データの出力終了時点までの期間）であるか否かを判断する方法が適用できる。例えば、番組Ａが１０時から１０時５０分まで放送され、続いて番組Ｂが１１時から放映されるとすれば、１０時５０分から１１時までの１０分間が広告データの出力期間となる。
【００６４】
放送設定情報管理部２５０からの広告データ出力終了の指示により、広告出力部２５５は広告の出力を終了し、放送信号受信処理部２４５により処理された放送データがスピーカ及び表示部２３５を介して出力される。その他にも放送設定情報管理部２５０は、広告データの出力可否を判断するために放送データ内に広告データの出力時点であることを表示する、予め指定された周波数の帯域信号が含まれているか否かを判断する方法などをさらに用いる場合もある。
【００６５】
広告出力部２５５は、放送設定情報管理部２５０から広告データの出力が指示されると、保存部２２５に保存されている広告データのうちいずれかの広告データ、または移動通信網を介して広告サーバ１７５から受信した広告データを、スピーカ及び表示部２３５を通して表示する。放送設定情報管理部２５０と広告出力部２５５とを一つの構成要素として統合してもよい。
【００６６】
また、図２には示されていないが、本発明による利用者端末１２０は、上記購入要求情報を生成する購入要求情報生成部をさらに含むことができる。
【００６７】
制御部２６０は前述した各構成要素の動作を制御する。
【００６８】
図３は、本発明の好ましい一実施形態による広告サーバ１７５の広告データ送信方法を示すフローチャートである。
【００６９】
図３を参照すると、広告サーバ１７５は、ステップ３１０で一つ以上の広告データを広告データベース内に保存し、ステップ３２０で利用者端末１２０から広告送信要求を受信したか否かを判断する。利用者端末１２０は、広告データの出力期間中に出力する広告を予めダウンロードして保存部２２５に保存するために、または広告データの出力開始時点で広告データをリアルタイムで受信するために、広告サーバ１７５に広告送信要求を送信する。広告サーバ１７５は、広告データベース内に、利用者端末１２０を通して出力する広告データを持続的に更新し保存する。勿論、広告サーバ１７５は、利用者端末１２０から広告データの出力期間に広告データをリアルタイムで出力するための広告送信要求が受信されなくても、放送設定情報により広告データの出力開始時点を認識できれば、自動で広告データを利用者端末１２０に送信することができる。
【００７０】
若し、広告送信要求が受信されない場合、ステップ３３０に進行して、予め設定された広告送信時点であるか否かを判断する。予め指定された広告送信時点ごとに広告データを利用者端末１２０に送信して、更新または新規保存することで、広告条件（例えば、広告主との契約による広告期間）に応じた広告データが出力されるようにし、かつ利用者端末１２０が広告データを受信するために広告サーバ１７５に接続する必要がないようにする。
【００７１】
若し、広告送信要求が受信された場合や、予め設定された広告送信時点である場合、広告サーバ１７５は、ステップ３４０で、利用者端末１２０に送信するための適切な広告データを広告データベースから抽出する。
【００７２】
広告サーバ１７５は、広告データの保存時点、利用者端末１２０の現在位置、当該利用者端末１２０を通して出力した広告データであるか否か、利用者が予め設定した関心情報に該当するか否か、などの多様な抽出条件に応じて、利用者端末１２０への送信に適した広告データを抽出することができる。勿論、広告サーバ１７５は複数の抽出条件を組み合わせて適用することもできる。
【００７３】
先ず、広告サーバ１７５が広告データの保存時点を基準として広告データを抽出すれば、最近登録された広告データを優先して利用者端末１２０に送信する場合もある。
【００７４】
次に、広告サーバ１７５が利用者端末１２０の現在位置を基準として広告データを抽出すれば、利用者の位置に対応した最適の広告データが提供できる。利用者端末１２０の位置情報は移動通信サービスシステム１１０ｂから提供することができ、広告サーバ１７５が移動通信サービスシステム１１０ｂの一つの構成要素であってもよいということは前述した通りである。広告サーバ１７５が、抽出した広告データを位置ＩＤと共に利用者端末１２０に送信することにより、利用者端末１２０は、受信し保存した広告データの位置ＩＤを参照して、現在位置に対応する広告データを抽出し出力する。ここで、移動通信サービスシステム１１０ｂで利用者端末１２０の位置情報を認識し、認識した位置情報を広告サーバ１７５に提供する方法は当業者に自明なことであるので、その説明は省略する。
【００７５】
次に、広告サーバ１７５は、利用者端末１２０を通じて出力されていない広告データだけを抽出して送信することもできる。この際、広告サーバ１７５が利用者端末１２０に既に送信した広告データは出力されたものとみなす方法、利用者端末１２０から広告ＩＤを受信した広告データは出力されたものとみなす方法などが適用できる。後者の場合、利用者端末１２０が任意の広告データを出力した場合、対応する広告ＩＤを広告サーバ１７５に送信しなくてはならない。
【００７６】
次に、広告サーバ１７５は、利用者が設定した関心情報に対応した広告データだけを抽出して、該当する利用者端末１２０に送信することもできる。関心情報は会員入会ステップなどにおいて設定するようにでき、広告サーバ１７５または移動通信サービスシステム１１０ｂに加入者情報として保存管理することができる。
【００７７】
その他にも多様な広告データの抽出条件が用いられることは自明である。
【００７８】
ステップ３５０で、広告サーバ１７５はステップ３４０を通して抽出した広告データを、移動通信網を介して利用者端末１２０に送る。利用者端末１２０は受信した広告データをリアルタイムで出力するか保存部２２５に保存する。
【００７９】
図４は、本発明の好ましい一実施形態による広告データの出力方法を示すフローチャートである。
【００８０】
図４を参照すると、ステップ４１０で、利用者端末１２０は予め一つ以上の広告データを広告サーバ１７５から受信して保存部２２５に保存し、ステップ４２０で、第１放送システム１１０ａまたは第２放送システム１１０ｂから放送データを受信してスピーカ及び表示部２３５を通して出力する。ステップ４２０により出力された放送データは、利用者がキー入力部２３０を介して入力したチャネル選局命令に対応する放送データである。
【００８１】
ステップ４３０で、利用者端末１２０は現在時点が広告データの表出時点であるか否かを判断する。利用者端末１２０は、放送設定情報に含まれている放送時間情報を用いて、現在時刻が広告データの出力期間（すなわち、第１放送番組の放送時間中、または、第１放送番組の終了後、第２放送番組が開始するまでの広告期間に割り当てられている）に該当するか否かを判断することができる。または、利用者端末１２０は、第１放送システム１１０ａまたは第２放送システム１１０ｂから受信した放送データに予め指定された周波数帯域信号が含まれている場合に、広告データの表出時点であると認識するようにすることもできる。
【００８２】
若し、広告データの表出開始時点ではない場合、ステップ４２０に進行して放送データの受信及び出力を続ける。
【００８３】
若し、広告データの表出開始時点に該当する場合、利用者端末１２０は、ステップ４４０で任意の広告データを抽出する。この際、利用者端末１２０は保存部２２５に保存されている広告データの中からランダムに任意の広告データを抽出したり、広告データが保存または出力された順番に応じて広告を抽出することができる。
【００８４】
引き続きステップ４５０で、利用者端末１２０は、抽出された広告データをスピーカ及び表示部２３５を通じて出力する。
【００８５】
以後、ステップ４６０で、利用者端末１２０は現在時点が広告データの表出終了時点であるか否かを判断する。利用者端末１２０は、放送設定情報に含まれている放送時間情報を用いて、現在時刻が広告データの出力期間の終了時点（例えば、第１放送番組の終了後に第２放送番組が開始される時点）に該当するか否かを判断することができる。または、利用者端末１２０は、第１放送システム１１０ａまたは第２放送システム１１０ｂから受信した放送データに予め指定された周波数帯域信号が含まれている場合に、広告データの表出終了時点であると認識する場合もある。
【００８６】
広告データの表出終了時点ではない場合、ステップ４４０に再び進行する。広告データの出力期間中に複数の広告データが出力できることは自明である。広告データの出力途中に広告データの表出終了時点が到来すれば、広告データの出力を中断し放送データを出力するか、または広告データの出力が完了した後に放送データを出力することもできる。
【００８７】
広告データの表出終了時点である場合、ステップ４７０に進行してキー入力部２３０から利用者の放送データの出力終了命令が入力されたか否かを判断する。放送データの出力終了命令が入力されなかった場合には、ステップ４２０に再び進行する。しかし、放送データの出力終了命令が入力された場合にはステップを終了する。
【００８８】
以上、図４を参照して、利用者端末１２０が、第１放送システム１１０ａまたは第２放送システム１１０ｂから受信した放送データを出力する間に、保存部２２５に保存されている広告データを放送設定情報により指定された広告データの出力期間中にランダムまたは順次に出力する方法を説明した。
【００８９】
しかし、本発明による利用者端末１２０は、利用者端末１２０の現在位置に対応する広告データを優先的に抽出して出力することもできる。これに関して簡単に説明する。
【００９０】
利用者端末１２０は、広告データの表出開始時点で、移動通信サービスシステム１１０ｂに当該利用者端末１２０の現在位置情報を要求して受信する。この際、受信される位置情報は位置ＩＤであってもよい。利用者端末１２０は、放送データを受信して出力する間に持続的に移動通信サービスシステム１１０ｂから位置情報の提供を受けることもでき、この場合、広告データの表出開始時点では最新の位置情報が用いられる。
【００９１】
利用者端末１２０は、保存部２２５に保存した広告データの中から、現在位置情報に対応する一つ以上の広告データを抽出して広告データの出力期間中に出力する。この場合、保存部には広告データがそれぞれ位置情報に対応するように保存される。
【００９２】
これにより、利用者端末１２０は現在位置に最も適した広告データを出力することができる。
【００９３】
図５は、本発明の好ましい他の実施形態による広告データの出力方法を示すフローチャートである。
【００９４】
図５を参照すると、ステップ５１０で、利用者端末１２０は第１放送システム１１０ａまたは第２放送システム１１０ｂから放送データを受信し、スピーカ及び表示部２３５を介して出力する。ステップ５１０を通して出力される放送データは、利用者がキー入力部２３０を用いて入力したチャネル選局命令に対応する放送データである。
【００９５】
ステップ５２０で、利用者端末１２０は、現在時点が広告データの表出時点であるか否かを判断する。利用者端末１２０は放送設定情報に含まれている放送時間情報を用いて現在時刻が広告データの出力期間（すなわち、第１放送番組の放送時間中、または、第１放送番組の終了後、第２放送番組が開始するまでの広告期間に割り当てられている）に該当するか否かを判断することができる。または、利用者端末１２０は第１放送システム１１０ａまたは第２放送システム１１０ｂから受信された放送データに予め指定された周波数帯域信号が含まれている場合に広告データの表出時点であると認識する場合もある。
【００９６】
若し、広告データの表出開始時点ではない場合には、ステップ５１０に進行して放送データの受信及び出力を続ける。
【００９７】
広告データの表出開始時点である場合は、利用者端末１２０は、ステップ５３０で、移動通信網を介して広告サーバ１７５に広告データの送信要求を送る。
【００９８】
利用者端末１２０は、ステップ５４０で、広告サーバ１７５から任意の広告データを受信し、ステップ５５０に進行して受信した広告データを、スピーカ及び表示部２３５を介して出力する。
【００９９】
以後、ステップ５６０で、利用者端末１２０は現在時点が広告データ表出終了時点であるか否かを判断する。利用者端末１２０は、放送設定情報に含まれている放送時間情報を用いて、現在時刻が広告データの出力期間の終了時点（例えば、第１放送番組の終了後、第２放送番組が開始される時点）に該当するか否かを判断することができる。または、利用者端末１２０は、第１放送システム１１０ａまたは第２放送システム１１０ｂから受信された放送データに予め指定された周波数帯域信号が含まれている場合、広告データの表出終了時点であると認識するようにすることもできる。
【０１００】
広告データの表出終了時点ではない場合、ステップ５４０（またはステップ５３０）に再び進行する。
【０１０１】
広告データの表出終了時点である場合、ステップ５７０に進行し、利用者端末１２０は広告送信終了要求を移動通信網を介して広告サーバ１７５に送る。
【０１０２】
以後、ステップ５８０で、利用者端末１２０は、キー入力部２３０を用いた利用者の放送データ出力終了命令が入力されたか否かを判断する。放送データの出力終了命令が入力されなかった場合には、ステップ５１０に再び進行する。しかし、放送データの出力終了命令が入力された場合には、ステップを終了する。
【０１０３】
以上で、図５を参照して利用者端末１２０が第１放送システム１１０ａまたは第２放送システム１１０ｂから受信した放送データを出力する途中に、放送設定情報により指定された広告データの出力期間中に広告サーバ１７５からリアルタイムで受信した広告データを出力する方法を説明した。
【０１０４】
しかし、本発明による利用者端末１２０は、利用者端末１２０の現在位置に対応する広告データを広告サーバ１７５から受信し出力することもできる。これに関して簡単に説明する。
【０１０５】
広告データの表出開始時点で、利用者端末１２０が広告サーバ１７５に広告送信要求（端末識別情報を含んでもよい）を送ると、広告サーバ１７５は移動通信サービスシステム１１０ｂに当該利用者端末１２０の現在位置情報を要求し受信する。この際、受信される位置情報は位置ＩＤであってもよい。
【０１０６】
広告サーバ１７５は、受信した位置情報に対応する広告データを抽出し、移動通信網を介して利用者端末１２０に送信する。
【０１０７】
これにより、利用者端末１２０は現在位置に最も適切な広告データを出力することができる。
【０１０８】
以上、広告データの出力期間中に保存部２２５に予め保存されている広告データを出力する方法（図４参照）と、広告サーバ１７５からリアルタイムで広告データを受信し出力する方法（図５参照）とをそれぞれ説明した。
【０１０９】
しかし、これらの方法は独立して行うだけでなく、統合的に具現することもできる。例えば、広告データの表出開始時点で広告サーバ１７５に広告データの送信を要求し、広告サーバ１７５から広告データを受信するまでは、保存部２２５に保存されている広告データを出力するという方法がある。そして、広告サーバ１７５から広告データが受信されると、既に出力された広告データを削除することにより保存部２２５内に常に新しい広告データを保存しておくこともできる。
【０１１０】
図６は、本発明の好ましいさらに他の実施形態による、出力される広告データに該当する物品の購入要求方法を示すフローチャートである。
【０１１１】
図６を参照すると、ステップ６１０で、利用者端末１２０は保存部２２５に保存されている任意の広告データまたは広告サーバ１７５からリアルタイムで受信される広告データを、スピーカ及び表示部２３５を通して出力する。前述したように、一つ以上の広告データが広告データの出力期間中に順次出力される。
【０１１２】
ステップ６２０で、利用者端末１２０は、利用者からキー入力部２３０に備えられている複数のキーボタンのうち、予め設定された購入要求ボタンが入力されるか否かを判断する。購入要求ボタンは、例えば、”Ｍａｇｉｃ  Ｎ”ボタンであってもよい。ステップ６２０では、利用者がキー入力部２３０を介して購入要求数量を入力したか否かをさらに判断することができる。購入要求数量は、数字ボタンを用いて入力することもできるし、購入要求数量が入力されなく購入要求ボタンだけが入力された場合には購入要求数量が一つであると自動認識することもできる。購入要求ボタンと購入要求数量の入力順序は、多様に具現することができ、購入要求数量が後で入力される場合には確認ボタンの入力が再要求されることもある。
【０１１３】
購入要求ボタンが操作されると、利用者端末１２０は、ステップ６３０で、現在出力されている広告データの広告ＩＤ、購入要求数量、端末識別情報を用いて購入要求情報を生成し、ステップ６４０で、生成された購入要求情報を購入サーバに送信する。購入サーバは、広告サーバ１７５と同一の装置であってもよい。また、購入サーバは移動通信サービスシステム１１０ｂに備えられた任意の装置または無線インターネット機能を用いて接続される通信装置であってもよい。
【０１１４】
ステップ６５０で、利用者端末１２０は、現在時点が広告データの表出終了時点であるか否かを判断する。広告データの表出終了時点である場合には、放送データを出力するために広告データの表出を終了する。しかし、広告データの表出終了時点ではない場合には、保存部２２５に保存されている異なる広告データ、または広告サーバ１７５からリアルタイムで受信される異なる広告データをスピーカ及び表示部２３５を介して出力し、ステップ６２０に進行する。
【産業上の利用可能性】
【０１１５】
上述したように、本発明による放送サービスの遂行中に独自広告を出力する方法及びその方法を行う利用者端末は、放送遂行装置と広告出力装置とを分離して通常放送のＣＭ時間中に利用者に対するターゲット広告を行うことにより、広告効果の極大化を図ることができる。
【０１１６】
また、本発明は、利用者端末に予め保存されている広告データのうち、現在状態（例えば、時刻、位置など）に最も適した広告を出力することにより広告効果の極大化を図ることができる。
【０１１７】
また、本発明は、任意の広告データの出力中に予め設定されている購入要求ボタンが操作された場合に、無線通信網を介して広告データに相応する物品の購入要求を送信することにより、物品購入手続きの簡素化及び物品販売の活性化を図ることができる。
【０１１８】
また、本発明は、利用者端末の位置に相応する広告を出力することにより広告の効果を高めることができる。
【０１１９】
また、本発明は、放送主体と広告主体とを分離することにより新たな収益モデルを創出することができる。
【０１２０】
以上では、本発明の好ましい実施形態を参照して説明したが、当該技術分野における通常の知識を有する者であれば、本発明の特許請求の範囲に記載された本発明の思想及び領域から逸脱しない範囲内で本発明を多様に修正及び変更させることができることを理解できよう。
【図面の簡単な説明】
【０１２１】
【図１】本発明の好ましい一実施形態による放送サービスの遂行中に独自広告を出力する方法を行うためのシステムの全体構成を概略的に示す図である。
【図２】本発明の好ましい一実施形態による利用者端末１２０の構成を示すブロック構成図である。
【図３】本発明の好ましい一実施形態による広告サーバ１７５の広告データの送信方法を示すフローチャートである。
【図４】本発明の好ましい一実施形態による広告データの出力方法を示すフローチャートである。
【図５】本発明の好ましい他の実施形態による広告データの出力方法を示すフローチャートである。
【図６】本発明の好ましいさらに他の実施形態による、出力される広告データに対応する物品の購入要求方法を示すフローチャートである。
【符号の説明】
【０１２２】
１１０ａ、１１０ｂ  放送システム
１２０  利用者端末
１７０  コンテンツ提供者
１７５  広告サーバ
２１０  無線送受信部
２１５  音声処理部
２２０  送受話部
２２５  保存部
２３０  キー入力部
２３５  表示部
２４０  電源供給部
２４５  放送信号受信処理部
２５０  放送設定情報管理部
２５５  広告出力部
【図１】
2008530944.tif 000003
【図２】
2008530944.tif 000004
【図３】
2008530944.tif 000005
【図４】
2008530944.tif 000006
【図５】
2008530944.tif 000007
【図６】
2008530944.tif 000008
【国際調査報告】
2008530944.tif 000009
2008530944.tif 000010